(57)【要約】【課題】  印刷物の偽造を防止する。【解決手段】  外部とのデータの入出力を行う入出力制御部と、認証データをあらかじめ記憶しておく第１メモリと、第１メモリに記憶された認証データと入出力制御部に入力された入力データとを照合する照合部と、印刷媒体１の表面に印刷される画像に対応させた検証データを記憶する第２目メモリと、照合部の照合結果に応じて、第２メモリに対してデータの書き込みを制御するアクセス制御部とを備えたＩＣチップ２を、印刷および電子データの記憶が可能な印刷媒体１に設ける。【選択図】        図１ 
2005028792.tif 000002
【特許請求の範囲】
【請求項１】
印刷および電子データの記憶が可能な印刷媒体であって、
外部とのデータの入出力を行う入出力手段と、
認証データをあらかじめ記憶しておく第１の記憶手段と、
前記第１の記憶手段に記憶された認証データと前記入出力手段に入力された入力データとを照合する照合手段と、
印刷媒体の表面に印刷される画像に対応させた検証データを記憶する第２の記憶手段と、
前記照合手段の照合結果に応じて、前記第２の記憶手段に対してデータの書き込みを制御する書き込み制御手段と
を備えた
ことを特徴とする印刷媒体。
【請求項２】
印刷および電子データの記憶が可能な印刷媒体であって、
外部とのデータの入出力を行う入出力手段と、
認証データをあらかじめ記憶しておく第１の記憶手段と、
前記第１の記憶手段に記憶された認証データと前記入出力手段に入力された照合データとを照合する照合手段と、
印刷媒体の表面に印刷される画像に対応させた検証データを記憶する第２の記憶手段と、
前記照合手段の照合結果に応じて、前記第２の記憶手段に対してデータの書き込みを制御する書き込み制御手段と、
前記照合手段の照合結果に応じて、前記第１の記憶手段に対してデータの追加書き込みを制御する追加書き込み制御手段と
を備えた
ことを特徴とする印刷媒体。
【請求項３】
前記照合手段の照合結果に応じて、前記第２の記憶手段に対してデータの読み出しを制御する読み出し制御手段をさらに備えたことを特徴とする請求項１または２に記載の印刷媒体。
【請求項４】
前記書き込み制御手段は、前記照合結果が一致であれば前記書き込みを許可し、前記照合結果が不一致であれば前記書き込みを禁止することを特徴とする請求項１または２に記載の印刷媒体。
【請求項５】
請求項１に記載の印刷媒体に画像を印刷をする画像形成装置であって、
照合データの入力操作がなされる操作手段と、
入力された前記照合データを前記印刷媒体に送信し、前記印刷媒体から返送された照合結果を受信する通信手段と、
入力された印刷データに基づき、印刷すべき画像データおよび前記検証データを作成し、前記照合結果に応じて前記印刷媒体に対してのデータ書き込みの可否を判断し、書き込み可の場合には、前記画像データを画像形成手段によって前記印刷媒体に印刷するとともに、前記検証データを前記通信手段によって前記印刷媒体に送信し、書き込み不可の場合には、前記印刷および前記検証データの送信をしない制御手段と
を備えた
ことを特徴とする画像形成装置。
【請求項６】
請求項２に記載の印刷媒体に画像を印刷をする画像形成装置であって、
照合データの入力操作がなされる操作手段と、
入力された前記照合データを前記印刷媒体に送信し、前記印刷媒体から返送された照合結果を受信する通信手段と、
入力された印刷データに基づき、印刷すべき画像データならびに前記認証データについての追加データおよび前記検証データを作成し、前記照合結果に応じて前記印刷媒体に対してのデータ書き込みの可否を判断し、書き込み可の場合には、前記画像データを画像形成手段によって前記印刷媒体に印刷するとともに、前記検証データおよび前記追加データを前記通信手段によって前記印刷媒体に送信し、書き込み不可の場合には、前記印刷ならびに前記検証データおよび前記追加データの送信をしない制御手段と
を備えた
ことを特徴とする画像形成装置。
【請求項７】
前記制御手段は、前記書き込み不可または前記読み取り不可の場合には、その旨の情報を前記操作手段に表示することを特徴とする請求項５または６に記載の画像形成装置。
【請求項８】
前記制御手段は、前記書き込み不可または前記読み取り不可の場合には、その旨の情報を外部装置に通知することを特徴とする請求項５または６に記載の画像形成装置。
【請求項９】
前記照合結果に応じて前記印刷媒体に対してのデータ読み取りの可否を判断し、読み取り可の場合には、その旨の情報および前記通信手段によって受信された前記検証データを前記操作手段に表示し、読み取り不可の場合には、その旨の情報を前記操作手段に表示する読み取り制御手段をさらに備えたことを特徴とする請求項５または６に記載の画像形成装置。
【請求項１０】
前記照合結果に応じて前記印刷媒体に対してのデータ読み取りの可否を判断し、読み取り可の場合には、その旨の情報および前記通信手段によって受信された前記検証データを外部装置に通知し、読み取り不可の場合には、その旨の情報を前記外部装置に通知する読み取り制御手段をさらに備えたことを特徴とする請求項５または６に記載の画像形成装置。
【請求項１１】
前記印刷媒体を通信可能な領域に搬送してから前記印刷媒体と通信することを特徴とする請求項５または６に記載の画像形成装置。
【請求項１２】
請求項１に記載の印刷媒体を用いた印刷方法であって、
入力された印刷データに基づき、印刷すべき画像データおよび前記検証データを作成する手順と、
入力された照合データを前記照合手段において前記認証データと照合し、その照合結果に応じて前記印刷媒体に対してのデータ書き込みの可否を判断する手順と、
書き込み可の場合には、前記画像データを前記印刷媒体に印刷するとともに、前記検証データを前記書き込み制御手段によって前記第２の記憶手段に書き込み、書き込み不可の場合には、前記印刷および前記検証データの書き込みをしない手順と
を含む
ことを特徴とする印刷方法。
【請求項１３】
請求項２に記載の印刷媒体を用いた印刷方法であって、
入力された印刷データに基づき、印刷すべき画像データならびに前記認証データについての追加データおよび前記検証データを作成する手順と、
入力された照合データを前記照合手段において前記認証データと照合し、その照合結果に応じて前記印刷媒体に対してのデーた書き込みの可否を判断する手順と、
書き込み可の場合には、前記画像データを前記印刷媒体に印刷するとともに、前記追加データを前記追加読み書き制御手段によって前記第１の記憶手段に書き込み、前記検証データを前記書き込み制御手段によって前記第２の記憶手段に書き込み、書き込み不可の場合には、前記印刷ならびに前記追加データおよび前記検証データの書き込みをしない手順と
を含む
ことを特徴とする印刷方法。
【発明の詳細な説明】
【技術分野】
【０００１】
本発明は、印刷および電子データの記憶が可能な印刷媒体、この印刷媒体に画像を印刷をする画像形成装置、および上記印刷媒体を用いた印刷方法に関し、有価証券などの偽造を防止する技術に関する。
【背景技術】
【０００２】
近年、プリンタ等の画像形成装置の高画質化に伴い、印刷媒体に印刷された印刷情報を容易に複製することができる。特に、有価証券や興行チケットなど、印刷物自体に流通性や価値があるものについては、不正な複製および使用を防止するために、より効果の高い偽造防止の手段を印刷媒体自体に導入することが求められている。ここで、偽造防止のための手段としては、画像形成装置にて印刷された内容の正当性を検証できる手段、複製自体が困難な手段、あるいはその両方を兼ね備えた手段等が考えられる。
【０００３】
これらの手段を実行する方法として、一般的に、画像形成装置にて受信する印刷データをバーコード等の情報に変換して追加印刷する方法、印刷データに特定の情報を付加して印刷することで印刷画像そのものを認証用の情報にする方法、印刷媒体自体を複製困難な特殊な仕様とする方法、ホログラム等で構成された認証マークを添付する方法、などが知られている。さらに、印刷媒体にＩＣチップを搭載してＩＣチップ内に電子データを記録しておく方法もある（例えば、特許文献１参照）。
【０００４】
特に、ＩＣチップを搭載した印刷媒体は、画像形成装置のみでは複製されることのないＩＣチップに電子データを記録しておくことができ、また必要に応じてその電子データを参照して印刷物の正当性の検証を行うことができるため、印刷物の偽造防止の手段として注目されている。
【０００５】
【特許文献１】特開２０００−２８５２０３号公報
【発明の開示】
【発明が解決しようとする課題】
【０００６】
しかしながら、上記従来の技術では、印刷媒体に搭載されたＩＣチップについては、ＩＣチップに対する書き込みアクセスおよびＩＣチップに記憶された電子データに対する読み取りアクセスを制限する手段が設けられていないので、読み取りおよび書き込みの要求があれば、ほぼ無条件でＩＣチップに対して読み取りおよび書き込みを行うことが可能となってしまい、ＩＣチップに記憶された電子データの秘匿性を確保できないという問題点があった。
【０００７】
また、上記問題点を悪用してＩＣチップを複製された場合、画像形成装置にて詳細に複製された紙媒体に上記複製されたＩＣチップを搭載することにより、不正に複製された有価証券、チケット等に、比較的容易に正当性に関わる電子データを付加することが可能となるため、結果として印刷物の偽造防止の効果を低減させてしまっている。
【０００８】
本発明は、このような従来の問題を解決するためになされたものであり、電子データの秘匿性を高めることができ、これにより印刷物の偽造を防止できる印刷媒体、画像形成装置、および印刷方法を提供することを目的とするものである。
【課題を解決するための手段】
【０００９】
本発明の印刷媒体は、
印刷および電子データの記憶が可能な印刷媒体であって、
外部とのデータの入出力を行う入出力手段と、
認証データをあらかじめ記憶しておく第１の記憶手段と、
前記第１の記憶手段に記憶された認証データと前記入出力手段に入力された入力データとを照合する照合手段と、
印刷媒体の表面に印刷される画像に対応させた検証データを記憶する第２の記憶手段と、
前記照合手段の照合結果に応じて、前記第２の記憶手段に対してデータの書き込みを制御する書き込み制御手段と
を備えたことを特徴とするものである。
【発明の効果】
【００１０】
本発明によれば、入力された照合データとあらかじめ記憶されている認証データとの照合結果に応じて検証データの書き込みを制御することにより、電子データ（検証データ）の秘匿性を高めることができるので、印刷物の偽造を防止することができるという効果がある。
【発明を実施するための最良の形態】
【００１１】
実施の形態１
図１は本発明の実施の形態１の印刷媒体の構成を示す図である。図１に示すように、実施の形態１の印刷媒体１には、微細なＩＣチップ２が搭載されている。このＩＣチップ２は、耐熱性のシール３によって封入されて印刷媒体１に接着されることにより、印刷媒体１に搭載されている。また、ＩＣチップ２の周辺には、ループアンテナ４が配置されている。
【００１２】
ここでは、ＩＣチップ２を印刷時の搬送方向に対して前部右側に搭載しているが、搬送方向に対して前部となる位置であればどの位置に搭載しても構わず、印刷媒体１に対しての上下を問わない。また、ＩＣチップ２を搭載する方法に関しても、ＩＣチップ２を印刷媒体１から引き離すことのできない方法であれば、印刷媒体１を構成する媒体の間にすき込む方法などでも構わない。
【００１３】
図２は印刷媒体１においてのＩＣチップ２の内部構成を示す図である。図２に示すように、ＩＣチップ２は、アンテナ５と、入出力制御部６と、アクセス制御部７と、照合部８と、第１メモリ９と、第２メモリ１０とを備えている。このＩＣチップ２は、非接触通信方式のＩＣチップであり、外部とのデータの送受信は、アンテナ５よりループアンテナ４（図１参照）を介して行われる。
【００１４】
アンテナ５は、ループアンテナ４を介して、外部とのデータの送受信を行うとともに、ＩＣチップ２への電力供給も行う。入出力制御部６は、送受信されるデータの入力および出力を制御する。アクセス制御部７は、ＩＣチップ２内部に記憶されたデータに対するアクセスを制御する。照合部８は、ＩＣチップ２内部に記憶されたデータに対するアクセスが正当なものかどうかを判断する。第１メモリ９および第２メモリ１０は、不揮発性メモリである。第１メモリ９には、照合部８において判断を行う際の認証データ（第１データ）があらかじめ記憶されている。第２メモリ１０には、上記送受信される検証データ（第２データ）が記憶される。
【００１５】
図３は本発明の実施の形態１の画像形成装置（印刷媒体１に印刷をするとともにＩＣチップ２にデータを書き込み、さらにＩＣチップ２からデータを読み取る画像形成装置）の構成を示す図である。図３に示すように、画像形成装置１１は、入出力部１３と、制御部１４と、オペパネ部（オペレーションパネル部、操作盤部）１５と、通信部１６と、画像形成部１７とを備えている。
【００１６】
入出力部１３は、外部装置１とのデータの送受信を行う。制御部１４は、入出力部１３に受信されたデータを受け取って各種データに変換を行うとともに画像形成装置１１自体の制御を行う。オペパネ部１５は、制御部１４からの情報を元に画像形成装置１１の状態を表示するとともに、必要に応じて制御部１４に送信する各種データの入力操作がなされる。通信部１６は、印刷媒体１とのデータの送受信を行う。画像形成部１７は、搬送された印刷媒体１の表面に印刷を行う。
【００１７】
図４は画像形成装置１１においての通信部１６の印刷媒体１との通信可能領域を示す図である。通信部１６により印刷媒体１とデータの通信が可能な領域は、この図４に通信可能領域１８として図示された範囲である。
【００１８】
この通信可能領域１８は、例えば、通信部１６と印刷対象の印刷媒体１との間で所定の電力を持つ電波や赤外線などの電磁波が届く距離であることや、堆積して格納された他の印刷媒体１には届かない距離であることを条件にして決められる。
【００１９】
図１に示す印刷媒体１はＩＣチップ２を搭載していれば利用目的は問わないが、従来技術の問題点に鑑みて、ここでは印刷媒体１を有価証券として利用する場合について説明する。
【００２０】
印刷媒体１は、ＩＣチップ２を搭載した有価証券であり、印刷媒体１に印刷が行われていることと、ＩＣチップ２内部の第２メモリ１０に印刷媒体１の有価証券としての情報が第２データとして記憶されていることの２つの処理が施されることにより、流通可能な有価証券となる。また、有価証券としての正当性の検証は、印刷媒体１に印刷された内容と、第２メモリ１０に記憶された上記第２データとを照合することで行う。
【００２１】
上記第２データは、印刷媒体１による印刷物の正当性の検証のために印刷媒体１の印刷時に第２メモリ１０に記憶される検証データである。この第２データは、この実施の形態１では有価証券の価格データであるとし、印刷媒体１の印刷内容には少なくとも価格に関する情報を含んでいるものとする。実際には、印刷媒体１がどのような有価証券であるのか、印刷媒体１の印刷内容と対応されていれば良いため、有価証券としての価格データだけではなく、発行元、所有者、発行日等のデータが利用可能であるし、それらのデータを暗号化して利用しても構わないことは言うまでもない。
【００２２】
外部装置１２から有価証券の印刷要求（印刷データの送信）があった場合の上記第２データの書き込みについては、照合部８において、第２メモリ１０に対する書き込みアクセスの可否についての判断を行う。そして、書き込みアクセス可であれば、入出力制御部６はアンテナ５を介して受信した第２データをアクセス制御部７に転送し、アクセス制御部７は転送された第２のデータを第２メモリ１０に記憶する。なお、書き込みアクセス不可であれば、第２データの受信および書き込みはしない。
【００２３】
また、有価証券としての正当性の検証を行うにあたり、外部装置１２から読み取り要求があった場合の上記第２データの読み取りについては、上記書き込みと同様に、照合部８において、第２メモリ１０に記憶されている第２データに対する読み出しアクセス可否についての判断を行う。そして、読み出しアクセス可であれば、アクセス制御部７は第２メモリ１０から第２データを読み出して入出力制御部６に転送し、入出力制御部６はアンテナ５を介して第２データを送信する。なお、読み出しアクセス不可であれば、第２データの読み出しおよび送信はしない。
【００２４】
上記書き込みアクセス可否および上記読み出しアクセス可否の判断においては、第１メモリ９にあらかじめ記憶されている第１データを使用する。上記第１データは、ＩＣチップ２のアクセスの認証のためにＩＣチップ２を印刷媒体１に搭載する前にあらかじめ記憶された認証データである。この第１データは、ＩＣチップ２のメーカデータ、印刷媒体１に印刷を行う発行元のデータ、印刷媒体１を構成する媒体種類に関するデータ、固有のシリアル番号データなどの印刷媒体１を特定できるものであれば良いが、この実施の形態１では印刷媒体１を構成する媒体種類に関するデータ（媒体データ）であるとする。
【００２５】
画像形成装置１１は、印刷媒体１に対する有価証券の印刷、および第２メモリ１０に対する有価証券の価格データの読み取りと書き込みを行うためのプリンタなどの装置であり、入出力部１３によって受信される、外部装置１２からの印刷データの指示に従って印刷を行う。また、外部装置１２はパソコンなどの情報処理装置であり、入出力部１３はＵＳＢ，ＲＳ２３２Ｃ，ＬＡＮなどのインタフェース回路である。
【００２６】
制御部１４は、画像形成装置１１全体の制御を行う回路であり、演算処理を行うプロセッサ、その実行用のプログラム、作業用のワーキングメモリなどを含んでいる。
【００２７】
この制御部１４は、外部装置１２から入出力部１３を介して入力される印刷データを受け取り、受け取った印刷データを、印刷媒体１に印刷するための画像データと、第２メモリ１０に記憶するための有価証券の価格データに変換するとともに、印刷を行う印刷媒体１を印刷に先立って所定位置まで搬送（プレフィード）する。
【００２８】
また、制御部１４は、上記印刷データのデータ変換終了後、オペパネ部１５に照合データの入力要求を表示し、オペパネ部１５に入力された照合データを通信部１６を介して印刷媒体１に送信し、第２メモリ１０に対して書き込み可否を問い合わせる。
【００２９】
さらに、制御部１４は、照合データ送信後、印刷媒体１からの照合結果を通信部１６を介して制御部１４が受信し、照合結果により書き込み可であった場合には、画像形成部１７により印刷媒体１に印刷を行うとともに、通信部１６により印刷媒体１のＩＣチップ２に有価証券の価格データを送信する。また、書き込み否であった場合には、印刷自体を中止し、プレフィードした印刷媒体１を用紙トレイに戻す。このとき、白紙で排出するなど、印刷自体を行わないのであれば、プレフィードした用紙の排出は他の方法でも構わない。ここでは、印刷データのデータ変換後に照合を行っているが、照合結果受信後に書き込み可であった場合にのみ、データ変換を行っても構わない。
【００３０】
ＩＣチップ２の第２メモリ１０に記憶されている有価証券の価格データを読み取る際には、外部装置１２より読み取り要求を送信し、制御部１４で処理を行い、オペパネ部１５に入力された照合データを送信して、印刷媒体１に読み取り可否を問い合わせ、読み取り可であれば、印刷媒体１から受信した有価証券の価格データをオペパネ部１５に表示し、読み取り否であれば、オペパネ部１５にエラーメッセージを表示する。このとき、有価証券の価格データあるいはエラーメッセージの表示先を外部装置１２としても良い。
【００３１】
［印刷およびデータ書き込み動作］
図５は本発明の実施の形態１においての印刷およびデータ書き込み動作（画像形成装置１１によって印刷媒体１に印刷するとともに第２メモリ１０にデータを書き込む動作）を示すフローチャートである。図５において、右側のフローチャートは印刷媒体１のＩＣチップ２の動作を、左側のフローチャートは画像形成装置１１の動作を、それぞれ示している。以下、この図５のフローチャートにより、実施の形態１においての印刷およびデータ書き込み動作を説明する。
【００３２】
まず、画像形成装置１１の制御部１４は、外部装置１２からの印刷データを、入出力部１３を介して受信する（ステップ１０１参照）。
【００３３】
上記印刷データを受信した制御部１４は、内部に搭載された処理実行用のプログラムによって上記印刷データを変換して、印刷媒体１に印刷するための画像データと、印刷媒体１に送信する価格データとを作成するとともに、印刷媒体１をプレフィードする（ステップ１０２参照）。
【００３４】
上記印刷データのデータ変換終了後、制御部１４は、第２メモリ１０に書き込みを行うために必要な照合データを、オペパネ部１５より入力するように要求し、入力された上記照合データを、通信部１６を介して印刷媒体１に送信する（ステップ１０３参照）。
【００３５】
印刷媒体１に搭載されたＩＣチップ２は、アンテナ５を介して受信した上記照合データを、入出力制御手段６を介して照合部８に転送する（ステップ１１１参照）。
【００３６】
照合部８は、受信した照合データと、第１メモリ９にあらかじめ記憶されている媒体データ（認証データ）とを照合し、両データが一致しているか否かに従って、第２メモリ１０にデータ書き込みが可能か否かを判断する。（ステップ１１２参照）。
【００３７】
そして、照合部８は、上記照合の結果、両データが一致していれば、書き込み可能であることを伝える信号を、入出力制御手段６およびアンテナ５を介して画像形成装置１１に送信するとともに、アクセス制御部７に転送する（ステップ１１３参照）。
【００３８】
また、照合部８は、上記照合の結果、両データが一致していなければ（不一致であれば）、書き込み不可能であることを伝える信号を、入出力制御手段６およびアンテナ５を介して画像形成装置１１に送信する（ステップ１１４参照）。
【００３９】
画像形成装置１１は、印刷媒体１のＩＣチップ２から送信された照合結果を通信部１６で受信したら、制御部１４に送り（ステップ１０４参照）、制御部１４は、上記照合結果を確認して、書き込み可能か否かを判断する（ステップ１０５参照）。
【００４０】
そして、制御部１４は、上記照合結果が書き込み可能であれば、プレフィード済みの印刷媒体１に対して画像形成部１７によって画像データを印刷するとともに、価格データを通信部１６を介して印刷媒体１に送信する（ステップ１０６参照）。
【００４１】
また、制御部１４は、上記照合結果が書き込み不可能であれば、プレフィードされた印刷媒体１を印刷せずに用紙トレイに戻す（ステップ１０７参照）。
【００４２】
印刷媒体１に搭載されたＩＣチップ２は、上記ステップＳ１１３で書き込み可能であることを送信した場合には、アンテナ５を介して受信した上記価格データを、入出力制御手段６を介してアクセス制御部７に転送し（ステップ１１５参照）、アクセス制御部７によって第２メモリ１０に書き込んで記憶させる（ステップ１１６参照）。
【００４３】
なお、印刷媒体１に搭載されたＩＣチップ２は、上記ステップＳ１１４で書き込み不可能であることを送信した場合には、第２メモリ１０に書き込みをしない。
【００４４】
［データ読み取り動作］
図６は本発明の実施の形態１においてのデータ読み取り動作（画像形成装置１１によって印刷媒体１の第２メモリ１０からデータを読み取る動作）を示すフローチャートである。図６において、右側のフローチャートは印刷媒体１のＩＣチップ２の動作を、左側のフローチャートは画像形成装置１１の動作を、それぞれ示している。以下、この図６のフローチャートにより、実施の形態１においてのデータ読み取り動作を説明する。
【００４５】
まず、画像形成装置１１の制御部１４は、外部装置１２からの読み取り要求を、入出力部１３を介して受信する（ステップ２０１参照）。
【００４６】
上記読み取り要求を受信した制御部１４は、内部に搭載された処理実行用のプログラムによって、第２メモリ１０の読み取りを行うために必要な照合データを、オペパネ部１５より入力するように要求するとともに、第２メモリ１０の読み取りをする印刷媒体１のプレフィードを行い、入力された上記照合データを、通信部１６を介して印刷媒体１に送信する（ステップ２０２参照）。
【００４７】
プレフィード済みの印刷媒体１に搭載されたＩＣチップ２は、アンテナ５を介して受信した上記照合データを、入出力制御手段６を介して照合部８に転送する（ステップ２１１参照）。
【００４８】
照合部８は、受信した照合データと、第１メモリ９にあらかじめ記憶されている媒体データとを照合し、両データが一致しているか否かに従って、第２メモリ１０のデータ読み取りが可能か否かを判断する（ステップ２１２参照）。
【００４９】
そして、照合部８は、上記照合の結果、両データが一致していれば、読み取り可能であることを伝える信号を、入出力制御手段６およびアンテナ５を介して画像形成装置１１に送信するとともに、アクセス制御部７に転送する（ステップ２１３参照）。
【００５０】
また、照合部８は、上記照合の結果、両データが一致していなければ（不一致であれば）、読み取り不可能であることを伝える信号を、入出力制御手段６およびアンテナ５を介して画像形成装置１１に送信する（ステップ２１４参照）。
【００５１】
アクセス制御部７は、読み取り可能である場合には、第２メモリ１０に記憶されている価格データを読み出して入出力制御部６に転送し、入出力制御部６はアンテナ５を介して上記価格データを画像形成装置１１に送信する（ステップ２１５参照）。
【００５２】
画像形成装置１１は、印刷媒体１のＩＣチップ２から送信された照合結果を通信部１６で受信したら、制御部１４に送り（ステップ２０３参照）、制御部１４は、上記照合結果を確認して、読み取り可能か否かを判断する（ステップ２０４参照）。
【００５３】
そして、制御部１４は、上記照合結果が読み取り可能であれば、プレフィード済みの印刷媒体１のＩＣチップ２から送信された上記価格データを、通信部１６で受信して制御部１４に送り、制御部１４は、受信した上記価格データを、内部に搭載された処理実行用のプログラムによってオペパネ部１５で表示可能なデータに変換して、オペパネ部１５に表示し、（ステップ２０５参照）、プレフィード済みの印刷媒体１を排出する（ステップ２０６参照）。
【００５４】
また、制御部１４は、上記照合結果が読み取り不可能であれば、オペパネ部１５にエラーメッセージを表示し、プレフィード済みの印刷媒体１を排出する（ステップ２０６参照）。
【００５５】
以上のように実施の形態１によれば、入力された照合データがＩＣチップ２内にあらかじめ記憶されている認証データと一致するときにのみ、ＩＣチップ２に対するアクセスを許可することにより、ＩＣチップ２に対するアクセスに制限を加えることができ、ＩＣチップ２内に記憶された検証データの秘匿性を高めることができるので、印刷物の偽造を防止することができる。
【００５６】
実施の形態２
図７は本発明の実施の形態２の印刷媒体においてのＩＣチップ内部構成を示す図である。この実施の形態２の印刷媒体は、上記実施の形態１の印刷媒体１（図１参照）において、ＩＣチップ２を図７のＩＣチップ２６としたものである。
また、本発明の実施の形態２の画像形成装置は、上記実施の形態１の画像形成装置（図３，図４参照）と同様である。
【００５７】
図７に示すように、ＩＣチップ２６は、アンテナ１９と、入出力制御部２０と、第１アクセス制御部２１と、第２アクセス制御部２２と、照合部２３と、第１メモリ２４と、第２メモリ２５とを備えている。このＩＣチップ２６において、アンテナ１９，入出力制御部２０，第１アクセス制御部２１，第２アクセス制御部２２，照合部２３，第１メモリ２４，第２メモリ２５は、それぞれ上記実施の形態１のアンテナ５，入出力制御部６，アクセス制御部７，照合部８，第１メモリ９，第２メモリ１０と同様の動作をする。このＩＣチップ２６は、上記実施の形態１のＩＣチップ２と同様に非接触通信方式のＩＣチップであり、外部とのデータの送受信は、アンテナ１９よりループアンテナ４（図１参照）を介して行われる。
【００５８】
アンテナ１９は、ループアンテナ４を介して、外部とのデータの送受信を行うとともに、ＩＣチップ２６への電力供給も行う。入出力制御部２０は、送受信されるデータの入力および出力を制御する。第１アクセス制御部２１および第２アクセス制御部２２は、ＩＣチップ２６内部に記憶されたデータに対するアクセスを制御する。照合部２３は、ＩＣチップ２６内部に記憶されたデータに対するアクセスが正当なものかどうかを判断する。第１メモリ２４および第２メモリ２５は、不揮発性メモリである。第１メモリ２４には、照合部８において判断を行う際の認証データ（第１データ）があらかじめ記憶されているとともに、この認証データに追加されるデータであって上記送受信される追加データが記憶される。第２メモリ１０には、上記送受信される検証データ（第２データ）が記憶される。
【００５９】
この実施の形態２において、印刷媒体１はＩＣチップ２６を搭載していれば利用目的は問わないが、従来技術による問題点を鑑みて、ここでは上記実施の形態１と同様に印刷媒体１を有価証券として利用する場合についての説明し、上記実施の形態１と重複する説明は省略する。
【００６０】
この実施の形態２の印刷媒体１（図１参照）は、ＩＣチップ２６を搭載した有価証券であり、印刷媒体１に印刷が行われていることと、ＩＣチップ２６内部の第２メモリ２５に印刷媒体１の有価証券としての情報が第２データとして記憶されていることの２つの処理が施されることにより、流通可能な有価証券となる。また、有価証券としての正当性の検証は、印刷媒体１に印刷された内容と、第２メモリ２５に記憶された上記第２データとを照合することで行う。
【００６１】
上記第２データは、印刷媒体１による印刷物の正当性の検証のために印刷媒体１の印刷時に第２メモリ１０に記憶される検証データである。この第２データは、上記実施の形態１と同様に有価証券の価格データであるとし、印刷媒体１の印刷内容には少なくとも価格に関する情報を含んでいるものとする。実際には、印刷媒体１がどのような有価証券であるのか、印刷媒体１の印刷内容と対応されていれば良いため、有価証券としての価格データだけではなく、発行元、所有者、発行日等のデータが利用可能であるし、それらのデータを暗号化して利用しても構わないことは言うまでもない。
【００６２】
外部装置１２（図３参照）から有価証券の印刷要求（印刷データの送信）があった場合の上記第２データの書き込みについては、照合部２３において、第２メモリ２５に対する書き込みアクセス可否についての判断を行う。そして、書き込みアクセス可であれば、入出力制御部２０は、アンテナ１９を介して受信した上記追加データを第１アクセス制御部２１に転送するとともに、アンテナ１９を介して受信した第２データを第２アクセス制御部２２に転送し、第１アクセス制御部２１は転送された追加データを第１データに追加して第１メモリ２４に記憶し、第２アクセス制御部２２は転送された第２データを第２メモリ２５に記憶する。なお、書き込みアクセス不可であれば、追加データおよび第２データの受信および書き込みはしない。なお、第１メモリ２４は、追加書き込み可能となっており、第２メモリ２５への書き込みと同様に、第１アクセス制御部２１を介して書き込み可能である。
【００６３】
上記書き込みアクセス可否の判断においては、第１メモリ２４にあらかじめ記憶されている第１データを使用する。上記第１データは、ＩＣチップ２のアクセスの認証のためにＩＣチップ２６を印刷媒体１に搭載する前にあらかじめ記憶された認証データである。この第１データは、ＩＣチップ２６のメーカデータ、印刷媒体１に印刷を行う発行元のデータ、印刷媒体１を構成する媒体種類に関するデータ、固有のシリアル番号データなどの印刷媒体１を特定できるものであれば良いが、この実施の形態２では上記実施の形態１と同様に印刷媒体１を構成する媒体種類に関するデータ（媒体データ）であるとする。
【００６４】
また、有価証券としての正当性の検証を行うにあたり、外部装置１２から読み取り要求があった場合の上記第２データの読み取りについては、上記書き込みと同様に、照合部２３において、第２メモリ２５に記憶されている第２データに対する読み出しアクセス可否についての判断を行う。そして、読み出しアクセス可であれば、第２アクセス制御部２２は第２メモリ２５から第２データを読み出して入出力制御部２０に転送し、入出力制御部２０はアンテナ１９を介して第２データを送信する。なお、読み出しアクセス不可であれば、第２データの読み出しおよび送信はしない。
【００６５】
上記読み出しアクセス可否の判断においては、第１メモリ２４にあらかじめ記憶されている第１データおよびこの第１データに追加して記憶された追加データを使用する。上記追加データは、あらかじめ記憶された認証データ（第１データ）に追加して、ＩＣチップ２６のメーカデータ、印刷媒体１に印刷を行う発行元のデータ、印刷媒体１を構成する媒体種類に関するデータ、固有のシリアル番号データ、印刷媒体１による印刷物の所有者やアクセス権限者に関するデータなどの印刷媒体１または上記印刷物を特定できるものであれば良いが、この実施の形態２では印刷媒体１による印刷物の所有権限またはアクセス権限に関するデータ（権限データ）であるとする。
【００６６】
このように、実施の形態２では、上記正当性の検証のために第１データ（認証データ）は、読み出しアクセス可否の判断においては、第１メモリ２４にあらかじめ記憶された認証データ（ここでは上記媒体データ）のみであるが、読み出しアクセス可否の判断においては、第１メモリ２４にあらかじめ記憶された認証データ（ここでは上記媒体データ）と、印刷媒体１の印刷時に第１メモリ２４に追加された追加データ（ここでは上記権限データ）とによって構成されたデータとなる。
【００６７】
画像形成装置１１（図３，図４参照）の制御部１４は、外部装置１２から入出力部１３を介して入力される印刷データを受け取り、受け取った印刷データを、印刷媒体１に印刷するための画像データと、第１メモリ２４に追加記憶するための権限データおよび第２メモリ２５に記憶するための有価証券の価格データに変換する。なお、上記印刷データから制御部１４において上記権限データを生成し、この権限データを印刷媒体１に送信することを除き、画像形成装置１１の動作は上記実施の形態１で説明したものと同様である。
【００６８】
［印刷およびデータ書き込み動作］
図５は上記実施の形態１においての印刷およびデータ書き込み動作のフローチャートであるが、この実施の形態２においての印刷およびデータ書き込み動作（画像形成装置１１によって印刷媒体１に印刷するとともに第１メモリ２４および第２メモリ２５にデータを書き込む動作）は、第１メモリ２４に権限データを追懐書き込みすることを除き、上記実施の形態１においての印刷およびデータ書き込み動作と同様であるので、図５を流用して実施の形態２においての印刷およびデータ書き込み動作を説明する。なお、図５において、右側のフローチャートは印刷媒体１のＩＣチップ２６の動作であり、左側のフローチャートは画像形成装置１１の動作である。
【００６９】
まず、画像形成装置１１の制御部１４は、外部装置１２からの印刷データを、入出力部１３を介して受信する（ステップ１０１参照）。
【００７０】
上記印刷データを受信した制御部１４は、内部に搭載された処理実行用のプログラムによって上記印刷データを変換して、印刷媒体１に印刷するための画像データと、印刷媒体１に送信する権限データおよび価格データとを作成するとともに、印刷媒体１をプレフィードする（ステップ１０２参照）。
【００７１】
上記印刷データのデータ変換終了後、制御部１４は、第１メモリ２４および第２メモリ２５に書き込みを行うために必要な照合データを、オペパネ部１５より入力するように要求し、入力された上記照合データを、通信部１６を介して印刷媒体１に送信する（ステップ１０３参照）。
【００７２】
印刷媒体１に搭載されたＩＣチップ２６は、アンテナ１９を介して受信した上記照合データを、入出力制御手段６を介して照合部２３に送信する（ステップ１１１参照）。
【００７３】
照合部２３は、受信した照合データと、第１メモリ２４にあらかじめ記憶されている媒体データ（認証データ）とを照合し、両データが一致しているか否かに従って、第２メモリ２５にデータ書き込みが可能か否かを判断する。（ステップ１１２参照）。
【００７４】
そして、照合部２３は、上記照合の結果、両データが一致していれば、書き込み可能であることを伝える信号を、入出力制御手段２０およびアンテナ１９を介して画像形成装置１１に送信するとともに、第１アクセス制御部２１および第２アクセス制御部２２に転送する（ステップ１１３参照）。
【００７５】
また、照合部２３は、上記照合の結果、両データが一致していなければ（不一致であれば）、書き込み不可能であることを伝える信号を、入出力制御手段２０およびアンテナ１９を介して画像形成装置１１に送信する（ステップ１１４参照）。
【００７６】
画像形成装置１１は、印刷媒体１のＩＣチップ２６から送信された照合結果を通信部１６で受信したら、制御部１４に送り（ステップ１０４参照）、制御部１４は、上記照合結果を確認して、書き込み可能か否かを判断する（ステップ１０５参照）。
【００７７】
そして、制御部１４は、上記照合結果が書き込み可能であれば、プレフィード済みの印刷媒体１に対して画像形成部１７によって画像データを印刷するとともに、権限データおよび価格データを通信部１６を介して印刷媒体１に送信する（ステップ１０６参照）。
【００７８】
また、制御部１４は、上記照合結果が書き込み不可能であれば、プレフィードされた印刷媒体１を印刷せずに用紙トレイに戻す（ステップ１０７参照）。
【００７９】
印刷媒体１に搭載されたＩＣチップ２６は、上記ステップＳ１１３で書き込み可能であることを送信した場合には、アンテナ１９を介して受信した上記権限データおよび上記価格データを、入出力制御手段２０を介してそれぞれ第１アクセス制御部２１、第２アクセス制御部２２に転送し（ステップ１１５参照）、上記権限データを第１アクセス制御部２１によって第１メモリ２４に書き込んで追加記憶させるとともに、上記価格データを第２アクセス制御部２２によって第２メモリ２５に書き込んで記憶させる（ステップ１１６参照）。
【００８０】
なお、印刷媒体１に搭載されたＩＣチップ２６は、上記ステップＳ１１４で書き込み不可能であることを送信した場合には、第１メモリ２４および第２メモリ２５に書き込みをしない。
【００８１】
［データ読み取り動作］
図６は上記実施の形態１においてのデータ読み取り動作のフローチャートであるが、この実施の形態２においてのデータ読み取り動作（画像形成装置１１によって印刷媒体１の第２メモリ１０からデータを読み取る動作）は、第１メモリ２４の認証データがあらかじめ記憶されている媒体データと追加記憶された権限データとによって構成されていることを除き、上記実施の形態２においてのデータ読み取り動作と同様であるので、図６を流用して実施の形態２においてのデータ読み取り動作を説明する。なお、図６において、右側のフローチャートは印刷媒体１のＩＣチップ２６の動作であり、左側のフローチャートは画像形成装置１１の動作である。
【００８２】
まず、画像形成装置１１の制御部１４は、外部装置１２からの読み取り要求を、入出力部１３を介して受信する（ステップ２０１参照）。
【００８３】
上記読み取り要求を受信した制御部１４は、内部に搭載された処理実行用のプログラムによって、第２メモリ２５の読み取りを行うために必要な照合データを、オペパネ部１５より入力するように要求するとともに、第２メモリ２５の読み取りをする印刷媒体１のプレフィードを行い、入力された上記照合データを、通信部１６を介して印刷媒体１に送信する（ステップ２０２参照）。
【００８４】
プレフィード済みの印刷媒体１に搭載されたＩＣチップ２６は、アンテナ１９を介して受信した上記照合データを、入出力制御手段２０を介して照合部２３に転送する（ステップ２１１参照）。
【００８５】
照合部２３は、受信した照合データと、第１メモリ９に記憶されている認証データ（媒体データおよび権限データ）とを照合し、両データが一致しているか否かに従って、第２メモリ２５のデータ読み取りが可能か否かを判断する（ステップ２１２参照）。
【００８６】
そして、照合部２３は、上記照合の結果、両データが一致していれば、読み取り可能であることを伝える信号を、入出力制御手段２０およびアンテナ１９を介して画像形成装置１１に送信するとともに、第２アクセス制御部２２に転送する（ステップ２１３参照）。
【００８７】
また、照合部２３は、上記照合の結果、両データが一致していなければ（不一致であれば）、読み取り不可能であることを伝える信号を、入出力制御手段２０およびアンテナ１９を介して画像形成装置１１に送信する（ステップ２１４参照）。
【００８８】
第２アクセス制御部２２は、読み取り可能である場合には、第２メモリ２５に記憶されている価格データを読み出して入出力制御部２０に転送し、入出力制御部２０はアンテナ１９を介して上記価格データを画像形成装置１１に送信する（ステップ２１５参照）。
【００８９】
画像形成装置１１は、印刷媒体１のＩＣチップ２６から送信された照合結果を通信部１６で受信したら、制御部１４に送り（ステップ２０３参照）、制御部１４は、上記照合結果を確認して、読み取り可能か否かを判断する（ステップ２０４参照）。
【００９０】
そして、制御部１４は、上記照合結果が読み取り可能であれば、プレフィード済みの印刷媒体１のＩＣチップ２から送信された上記価格データを、通信部１６で受信して制御部１４に送り、制御部１４は、受信した上記価格データを、内部に搭載された処理実行用のプログラムによってオペパネ部１５で表示可能なデータに変換して、オペパネ部１５に表示し、（ステップ２０５参照）、プレフィード済みの印刷媒体１を排出する（ステップ２０６参照）。
【００９１】
また、制御部１４は、上記照合結果が読み取り不可能であれば、オペパネ部１５にエラーメッセージを表示し、プレフィード済みの印刷媒体１を排出する（ステップ２０６参照）。
【００９２】
以上のように実施の形態２によれば、上記実施の形態１と同様の効果が得られるとともに、ＩＣチップ内の認証データを印刷者自身が追記することにより、独自に設定したデータを上記認証データに追加できるので、ＩＣチップ２６内に記憶された検証データの秘匿性をさらに高めることができる。
【００９３】
なお、上記実施の形態１および２では、画像形成装置１１による印刷媒体１への通信可能領域１８（図４参照）を用紙プレフィード部分としたが、画像形成装置１１の用紙トレイに搭載された別の印刷媒体１と確実に区別できる位置であれば、どこに通信可能領域を指定しても構わない。また、ＩＣチップの搭載については、通信可能領域に対応した位置であれば、印刷媒体１上のどこの位置でも構わない。
【００９４】
また、上記実施の形態１および２では、有価証券を例にして説明したが、本発明は、有価証券の他にも、印刷媒体に印刷するとともに電子データを記憶する印刷物に適用可能である。特にその中でも、特定の管理機構でしか印刷および読み取りと書き込みが行われない印刷物、例えば各種証明書、各種チケット、契約書や申し込み書などの取り引き書類、ポスターやＣＤジャケットなどの紙媒体による著作権利物、などについては高い偽造防止効果が得られる。
【図面の簡単な説明】
【００９５】
【図１】本発明の実施の形態１の印刷媒体の構成を示す図である。
【図２】図１の印刷媒体においてのＩＣチップの内部構成を示す図である。
【図３】本発明の実施の形態１の画像形成装置の構成を示す図である。
【図４】図３の画像形成装置においての通信部の図１の印刷媒体との通信可能領域を示す図である。
【図５】本発明の実施の形態１においての印刷およびデータ書き込み動作を示すフローチャートである。
【図６】本発明の実施の形態１においてのデータ読み取り動作を示すフローチャートである。
【図７】本発明の実施の形態２の印刷媒体においてのＩＣチップの内部構成を示す図である。
【符号の説明】
【００９６】
１  印刷媒体
２  ＩＣチップ
３  シール
４  ループアンテナ
５  アンテナ
６  入出力制御部
７  アクセス制御部
８  照合部
９  第１メモリ
１０  第２メモリ
１１  画像形成装置
１２  外部装置
１３  入出力部
１４  制御部
１５  オペパネ部（オペレーションパネル部、操作盤部）
１６  通信部
１７  画像形成部
２６  ＩＣチップ
１９  アンテナ
２０  入出力制御部
２１  第１アクセス制御部
２２  第２アクセス制御部
２３  照合部
２４  第１メモリ
２５  第２メモリ
【図１】
2005028792.tif 000003
【図２】
2005028792.tif 000004
【図３】
2005028792.tif 000005
【図４】
2005028792.tif 000006
【図５】
2005028792.tif 000007
【図６】
2005028792.tif 000008
【図７】
2005028792.tif 000009